(57)【要約】【課題】摩擦体の汚れや損傷を防止でき、また、ペン先突出状態と摩擦体突出状態とを同時に得ることができ、且つ、ペン先没入状態と摩擦体没入状態とを同時に得ることができる熱変色性筆記具を提供する。【解決手段】軸筒２内に熱変色性インキを収容する。軸筒２の前端に熱変色性インキが吐出可能なペン先３１を設ける。軸筒２の後端部に、前記熱変色性インキの筆跡を摩擦しその際に生じる摩擦熱で熱変色性インキの筆跡を熱変色させる摩擦体４を設ける。第１の操作部５１を径方向内方に押圧することによりペン先３１を軸筒２の前端孔２１から突出状態にする第１の出没機構５を備える。第２の操作部６１を径方向内方に押圧することにより摩擦体４を軸筒２の後端孔２２より突出状態にする第２の出没機構６を備える。第１の出没機構５と第２の出没機構６とを独立して設ける。【選択図】  図１
2011093164.tif 000002
【特許請求の範囲】
【請求項１】
軸筒内に熱変色性インキを収容し、前記軸筒の前端に前記熱変色性インキが吐出可能なペン先を設け、前記軸筒の後端部に、前記熱変色性インキの筆跡を摩擦しその際に生じる摩擦熱で前記熱変色性インキの筆跡を熱変色させる摩擦体を設けた熱変色性筆記具であって、軸筒の側壁に設けた操作部を径方向内方に押圧することによって軸筒後端より摩擦体が出没する出没機構を備えたことを特徴とする熱変色性筆記具。
【請求項２】
筆記体を軸筒前部内に前後方向に移動可能に収容し、摩擦体を軸筒後部内に前後方向に移動可能に収容し、前記筆記体の内部に熱変色性インキを収容し、前記筆記体の前端に前記熱変色性インキが吐出可能なペン先を設け、
前記軸筒の側壁に設けた第１の操作部を径方向内方に押圧することによりペン先を軸筒の前端孔から突出状態にし、再度、前記第１の操作部を径方向内方に押圧することにより前記ペン先突出状態を解除しペン先を軸筒の前端孔より軸筒内に没入状態にする第１の出没機構を備え、
前記軸筒の側壁に設けた第２の操作部を径方向内方に押圧することにより摩擦体を軸筒の後端孔から突出状態にし、再度、前記第２の操作部を径方向内方に押圧することにより前記摩擦体突出状態を解除し摩擦体を軸筒の後端孔より軸筒内に没入状態にする第２の出没機構を備え、
前記第１の出没機構と前記第２の出没機構とを独立して設けた請求項１記載の熱変色性筆記具。
【発明の詳細な説明】
【技術分野】
【０００１】
本発明は、熱変色性筆記具に関する。詳細には、熱変色性インキを内蔵し且つ外面に前記熱変色性インキの筆跡を摩擦熱で熱変色させる摩擦体を備えた熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、軸胴の後端に設ける構成が記載されている。また、特許文献２には、軸筒の前端より摩擦体が出没する熱変色性筆記具が開示されている。
【先行技術文献】
【特許文献】
【０００３】
【特許文献１】特開２００４−１４８７４４号公報
【特許文献２】特開２００９−１８４２７９号公報
【発明の概要】
【発明が解決しようとする課題】
【０００４】
特許文献１の熱変色性筆記具は、摩擦体が軸筒の後端より常時突出されているため、摩擦体が塵や埃等の付着で汚れたり、損傷したりするおそれがある。
【０００５】
特許文献２の熱変色性筆記具は、摩擦体がペン先に対して相対的に前後に移動する構成であり、ペン先突出状態と摩擦体突出状態とを同時に得ることができないため、ペン先突出状態のまま摩擦体を使用できず、不便である。また、特許文献２の熱変色性筆記具は、ペン先没入状態と摩擦体没入状態とを同時に得ることができないため、ペン先または摩擦体のどちらかが外部に突出され、ペン先や摩擦体を損傷させるおそれがある。
【０００６】
本発明は、前記従来の問題点を解決するものであって、摩擦体の汚れや損傷を防止でき、また、ペン先突出状態と摩擦体突出状態とを同時に得ることができ、且つ、ペン先没入状態と摩擦体没入状態とを同時に得ることができる熱変色性筆記具を提供しようとするものである。尚、本発明で、「前」とは、ペン先側を指し、「後」とは、その反対側を指す。尚、本発明で、「ペン先突出状態」とは、ペン先が軸筒の前端より外部に突出した状態をいい、「ペン先没入状態」とは、ペン先が軸筒内に没入した状態をいい、「摩擦体突出状態」とは、摩擦体が軸筒の後端より外部に突出した状態をいい、「摩擦体没入状態」とは、摩擦体が軸筒内に没入した状態をいう。
【課題を解決するための手段】
【０００７】
［１］本願の第１の発明は、軸筒２内に熱変色性インキを収容し、前記軸筒２の前端に前記熱変色性インキが吐出可能なペン先３１を設け、前記軸筒２の後端部に、前記熱変色性インキの筆跡を摩擦しその際に生じる摩擦熱で前記熱変色性インキの筆跡を熱変色させる摩擦体４を設けた熱変色性筆記具であって、軸筒２の側壁に設けた操作部６１を径方向内方に押圧することによって軸筒２後端より摩擦体４が出没する出没機構６を備えたことを要件とする。
【０００８】
前記第１の発明の熱変色性筆記具１は、摩擦体４の使用時に摩擦体４を軸筒２の後端より外部に突出させ、摩擦体４の不使用時に摩擦体４を軸筒２内に収容することができ、摩擦体４の汚れや損傷を防止できる。
【０００９】
［２］本願の第２の発明は、前記第１の発明の熱変色性筆記具１において、筆記体３を軸筒２前部内に前後方向に移動可能に収容し、摩擦体４を軸筒２後部内に前後方向に移動可能に収容し、前記筆記体３の内部に熱変色性インキを収容し、前記筆記体３の前端に前記熱変色性インキが吐出可能なペン先３１を設け、前記軸筒２の側壁に設けた第１の操作部５１を径方向内方に押圧することによりペン先３１を軸筒２の前端孔２１から突出状態にし、再度、前記第１の操作部５１を径方向内方に押圧することにより前記ペン先突出状態を解除しペン先３１を軸筒２の前端孔２１より軸筒２内に没入状態にする第１の出没機構５を備え、前記軸筒２の側壁に設けた第２の操作部６１を径方向内方に押圧することにより摩擦体４を軸筒２の後端孔２２から突出状態にし、再度、前記第２の操作部６１を径方向内方に押圧することにより前記摩擦体突出状態を解除し摩擦体４を軸筒２の後端孔２２より軸筒２内に没入状態にする第２の出没機構６を備え、前記第１の出没機構５と前記第２の出没機構６とを独立して設けたことを要件とする。
【００１０】
前記第２の発明の熱変色性筆記具１は、第１の出没機構５と第２の出没機構６とを独立して設けたことにより、ペン先突出状態と摩擦体突出状態とを同時に得ることができ、且つ、ペン先没入状態と摩擦体没入状態とを同時に得ることができる。その結果、ペン先突出状態且つ摩擦体突出状態のとき、ペン先突出状態のまま摩擦体４を使用でき、一方、ペン先没入状態且つ摩擦体没入状態のとき、ペン先３１及び摩擦体４の損傷を防止できる。
【００１１】
・摩擦体
本発明の摩擦体４は、弾性材料（軟質材料）から構成されることが好ましい。前記摩擦体４を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体４を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【００１２】
・熱変色性インキ
本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【発明の効果】
【００１３】
本発明は、摩擦体の使用時に摩擦体を軸筒の後端より外部に突出させ、摩擦体の不使用時に摩擦体を軸筒内に収容することができ、摩擦体の汚れを防止できる。
【図面の簡単な説明】
【００１４】
【図１】本発明の実施の形態のペン先没入状態且つ摩擦体没入状態を示す縦断面図である。
【図２】図１のペン先突出状態且つ摩擦体突出状態を示す縦断面図である。
【発明を実施するための形態】
【００１５】
本発明の実施の形態を図１及び図２に示す。
本実施の形態の熱変色性筆記具１は、軸筒２と、該軸筒２の前部内に収容される筆記体３と、該筆記体３のペン先３１を軸筒２の前端孔２１より出没自在にさせる第１の出没機構５と、該軸筒２の後部内に収容される摩擦体４と、該摩擦体４を軸筒２の後端孔２２より出没自在にさせる第２の出没機構６とを備える。
【００１６】
・筆記体
前記筆記体３は、ペン先３１と、該ペン先３１が前端開口部に圧入固着されたインキ収容管３２と、該インキ収容管３２内に充填される熱変色性インキと、該熱変色性インキの後端に充填され且つ該熱変色性インキの消費に伴い前進する追従体（例えば高粘度流体）とからなる。前記熱変色性インキは、加熱により消色し、冷却により発色するタイプの可逆熱変色性インキが採用される。
【００１７】
前記ペン先３１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓を取り付けてもよい。前記ペン先３１は、ボールペンチップ以外のペン先（例えば、繊維ペン体等）でもよい。
【００１８】
・摩擦体
前記摩擦体４は、弾性材料（例えば、シリコーン樹脂、ＳＢＳ樹脂、ＳＥＢＳ樹脂等）により形成される部材である。前記摩擦体４を構成する弾性材料は、高摩耗性の弾性材料（例えば、消しゴム等）ではなく、摩擦時に摩耗カス（消しカス）が殆ど生じない低摩耗性の弾性材料からなる。前記摩擦体４は、後端孔２２より外部に突出可能な小径部４１と、該小径部４１より後方に連設され且つ前端に摺動体用スプリングが係止可能な大径部４２とからなる。
【００１９】
・軸筒
軸筒２は、前軸２ａと、該前軸２ａの後端開口部に連結される後軸２ｂと、該後軸２ｂの後端開口部に取り付けられる尾冠２ｃとからなる。前記前軸２ａの前端には、ペン先３１が出没可能な前端孔２１が軸方向に貫設され、前記前軸２ａ後部の側壁には第１の側孔２３が径方向に貫設される。前記尾冠２ｃの後端には、摩擦体４が出没可能な後端孔２２が軸方向に貫設される。前記後軸２ｂ前部の側壁には第２の側孔２４が径方向に貫設される。前記前軸２ａ内部には、筆記体３及び第１の出没機構５が収容される。前記後軸２ｂ内部には、摩擦体４及び第２の出没機構６が収容される。
【００２０】
・第１の出没機構
前記出没機構は、回転カム機構を用いたサイドノック式出没機構であり、軸筒２内面（前軸２ａ内面）に形成された第１のカム部５２と、該第１のカム部５２と係合し且つ筆記体３の後端と当接する第１の回転部材５３と、該第１の回転部材５３と係合し且つ軸線に対して傾斜するカム面５４ａを有する、軸方向に移動可能な第１の摺動体５４と、該第１の摺動体５４を第１のカム部５２に対して後方に付勢する第１の摺動体用スプリング５５と、該第１の摺動体５４のカム面５４ａに接触し且つ径方向内方に変位可能な第１の操作部５１と、軸筒２の前部内（前軸２ａ内）に収容され且つ筆記体３を後方に付勢する筆記体用スプリング７とからなる。前記第１の操作部５１は第１の側孔２３の一端に回動自在に設けられる。本実施の形態の第１の出没機構５は、ペン先突出操作及びペン先没入操作のいずれもが第１の操作体を径方向内方に押圧操作するダブルノック式である。
【００２１】
前記第１のカム部５２は、前方に突出する鋸歯状の複数のカム歯と、該カム歯間に形成され、第１の回転部材５３の突条が係合するカム溝とを備える。前記第１の回転部材５３は、その外面に長手方向に延びる突条を備え、該突条が、カム部のカム溝と係合される。前記第１の摺動体５４は、その前端部に、カム部のカム溝内を摺動するガイド突条と、第１の回転部材５３の突条の後端と係合するカム歯とを備え、一方、その後端部にカム面５４ａを備える。
【００２２】
・第２の出没機構
前記出没機構は、回転カム機構を用いたサイドノック式出没機構であり、軸筒２内面（後軸２ｂ内面）に形成された第２のカム部６２と、該第２のカム部６２と係合し且つ摩擦体４の前端と当接する第２の回転部材６３と、該第２の回転部材６３と係合し且つ軸線に対して傾斜するカム面６４ａを有する、軸方向に移動可能な第２の摺動体６４と、該第２の摺動体６４を第２のカム部６２に対して前方に付勢する第２の摺動体用スプリング６５と、該第２の摺動体６４のカム面６４ａに接触し且つ径方向内方に変位可能な第２の操作部６１と、軸筒２後部内（後軸２ｂ内）に収容され且つ摩擦体４を前方に付勢する摩擦体用スプリング８とからなる。前記第２の操作部６１は第２の側孔２４の一端に回動自在に設けられる。本実施の形態の出没機構は、摩擦体突出操作及び摩擦体没入操作のいずれもが第２の操作部６１を径方向内方に押圧操作するダブルノック式である。
【００２３】
前記第２のカム部６２は、後方に突出する鋸歯状の複数のカム歯と、該カム歯間に形成され、第２の回転部材６３の突条が係合するカム溝とを備える。前記第２の回転部材６３は、その外面に長手方向に延びる突条を備え、該突条が、第２のカム部６２のカム溝と係合される。前記第２の摺動体６４は、その後端部に、第２のカム部６２のカム溝内を摺動するガイド突条と、第２の回転部材６３の突条の前端と係合するカム歯とを備える。
【００２４】
前記第１の出没機構５と第２の出没機構６とは互いに独立して設けられる。
【００２５】
本実施の形態の熱変色性筆記具１は、摩擦体４の使用時に摩擦体４を軸筒２の後端より外部に突出させ、摩擦体４の不使用時に摩擦体４を軸筒２内に収容することができ、摩擦体４の汚れや損傷を防止できる。また、本実施の形態の熱変色性筆記具１は、回転式やサイドスライド式の出没機構に比べ、摩擦体４の突出操作及び摩擦体４の没入操作が迅速となる。
【００２６】
本実施の形態の熱変色性筆記具１は、第１の出没機構５と第２の出没機構６とを独立して設けたことにより、ペン先突出状態と摩擦体突出状態とを同時に得ることができ、且つ、ペン先没入状態と摩擦体没入状態とを同時に得ることができる。その結果、ペン先突出状態且つ摩擦体突出状態のとき、ペン先突出状態のまま摩擦体４を使用でき、一方、ペン先没入状態且つ摩擦体没入状態のとき、ペン先３１及び摩擦体４の損傷を防止できる。
【符号の説明】
【００２７】
１  熱変色性筆記具
２  軸筒
２ａ  前軸
２ｂ  後軸
２ｃ  尾冠
２１  前端孔
２２  後端孔
２３  第１の側孔
２４  第２の側孔
３  筆記体
３１  ペン先
３２  インキ収容管
４  摩擦体
４１  小径部
４２  大径部
５  第１の出没機構  
５１  第１の操作部
５２  第１のカム部
５３  第１の回転部材
５４  第１の摺動体
５４ａ  カム面
５５  第１の摺動体用スプリング
６  第２の出没機構
６１  第２の操作部
６２  第２のカム部
６３  第２の回転部材
６４  第２の摺動体
６４ａ  カム面
６５  第２の摺動体用スプリング
７  筆記体用スプリング
８  摩擦体用スプリング
【図１】
2011093164.tif 000003
【図２】
2011093164.tif 000004